(57)【要約】【課題】ディスプレイの輝度制御(視認性向上や低消費電力・長寿命化)の為に、光センサや顧客センサを設ける必要があった。【解決手段】ソーラーパネルを搭載した現金自動預払機において、まず、待機時の輝度を設定し（ステップ２０２）、正面パネルの電流値を前回の電流値と比較する（ステップ２０４）。前回よりも電流値が減少しているなら、他パネルの電流値とそれぞれの前回の電流値を比較する（ステップ２０５）。電流値の減少がある割合より大きければ、データテーブルを参照してディスプレイ輝度設定値を取り込み（ステップ２０７）、ディスプレイ輝度を変更する（ステップ２０８）。一定時間待ち（ステップ２０９）、取引中であるかを確認し（ステップ２１０）、取引中であればステップ２０６へ移行する。取引中で無ければ電流値を記憶し（ステップ２１１）、ステップ２０２へ移行する。【選択図】図１
2011086015.tif 000002
【特許請求の範囲】
【請求項１】
ディスプレイと、複数のソーラーパネルを備え、複数のソーラーパネルの発電量を比較し、ディスプレイの輝度を調節することを特徴とする現金自動預払機。
【発明の詳細な説明】
【技術分野】
【０００１】
本発明は、現金自動預払機におけるディスプレイ輝度制御方式に関する。
【背景技術】
【０００２】
バックライトを用いた表示装置において、光センサにより画面周囲の照度を検出し、バックライトの輝度を自動的に調節する技術が利用されている。
【０００３】
また、顧客センサを搭載した現金自動預払機において、利用者の有無によりディスプレイの輝度を調節する技術が利用されている。
【先行技術文献】
【特許文献】
【０００４】
【特許文献１】特開平５−２４１５１２号公報
【特許文献２】特開２００６−１６４０９１号公報
【発明の概要】
【発明が解決しようとする課題】
【０００５】
しかしながら、現金自動預払機において、ディスプレイの輝度制御(視認性向上や低消費電力・長寿命化)の為に、光センサや顧客センサを設ける必要があった。
【課題を解決するための手段】
【０００６】
ソーラーパネルを搭載した現金自動預払機において、複数のソーラーパネルの発電量を比較し、ディスプレイの輝度を制御する。
【発明の効果】
【０００７】
光センサや顧客センサを設けずに、ディスプレイの輝度を制御することが出来る。
【図面の簡単な説明】
【０００８】
【図１】フローチャート。
【図２】ブロック図。
【図３】データテーブル。
【図４】外観図。
【発明を実施するための形態】
【０００９】
図１は、本発明を現金自動預払機に適用した場合の処理手順の実施の形態を示すフローチャートであり、図２は、本発明にかかる端末機である現金自動預払機の構成を示すブロック図であり、図３は、電流値とディスプレイ輝度設定値の対照テーブルであり、図４は、図２の現金自動預払機の外観図である。
【００１０】
図２、図３、図４において、ソーラーパネル付き現金自動預払機１００は、発電するための正面ソーラーパネル１０１、ディスプレイ周辺ソーラーパネル１０２、上面ソーラーパネル１０３、発電電流を測定する電流測定手段１０４、１０５、１０６、発電された電流を消費する負荷１０７、電圧をデジタル値に変換するＡ／Ｄ変換機１０８、１０９、１１０、制御装置１１１、テーブルやデータを記憶するメモリ１１２、ディスプレイの輝度を制御するディスプレイ輝度調節手段１１３、ディスプレイ１１４で構成される。
【００１１】
正面ソーラーパネル１０１、ディスプレイ周辺ソーラーパネル１０２、上面ソーラーパネル１０３の発電により生じる電流は、それぞれ電流測定手段１０４、１０５、１０６を経由して負荷１０７へ流れる。ここで負荷１０７は、例えば、商用電源の補助、二次電池への充電、空調である。前記正面ソーラーパネル１０１、ディスプレイ周辺ソーラーパネル１０２、上面ソーラーパネル１０３の発電により生じる電流は、それぞれ電流測定手段１０４、１０５、１０６によって電圧に変換され、それぞれＡ／Ｄ変換機１０８、１０９、１１０によってデジタル値に変換され、制御装置１１１でこの変換された値を取り込む。制御装置１１１は、メモリ１１２に記憶されたデータを読み出し、またメモリ１１２にデータを記録する。メモリ１１２内のデータテーブル１３０は、電流値とディスプレイ輝度設定値の対照テーブルであり、ディスプレイ輝度設定値は、使用環境に応じて適切な値を予め記録しておく。また制御装置１１１は、ディスプレイ輝度調節手段１１３を介して、ディスプレイ１１４の輝度を調節する。
【００１２】
次に、図１のフローチャートに基づいて図２、図３、図４の各部の動作を説明する。
【００１３】
まず、ソーラーパネル付き現金自動預払機１００が起動し利用可能な状態になったら（ステップ２０１）、制御装置１１１は待機時の輝度を設定する（ステップ２０２）。次に、制御装置１１１は、正面ソーラーパネル１０１、ディスプレイ周辺ソーラーパネル１０２、上面ソーラーパネル１０３の発電により生じる電流値を取り込む（ステップ２０３）。そして、制御装置１１１は、正面ソーラーパネル電流値を、前回取り込んだ正面ソーラーパネル電流値と比較する（ステップ２０４）。この比較によって、今回取り込んだ正面ソーラーパネル電流値の方が前回取り込んだ電流値より小さければ、制御装置１１１は、ディスプレイ周辺ソーラーパネル電流値、上面ソーラーパネル電流値と、それぞれの前回取り込んだ電流値とを比較する（ステップ２０５）。ステップ２０５では、ディスプレイ周辺ソーラーパネル電流値、上面ソーラーパネル電流値が、それぞれの前回取り込んだ電流値と比較して、割合が予め定めた値より大きいことを確認する。例えば、今回取り込んだ電流値を＄ＮＥＷ、前回取り込んだ電流値を＄ＯＬＤ、割合を８０％(低下率は２０％以内)とすると、比較式は、＄ＮＥＷ÷＄ＯＬＤ＞８０％、となる。この比較式を、ディスプレイ周辺ソーラーパネル電流値、上面ソーラーパネル電流値に当てはめ、双方の比較式が共に真であれば、正面ソーラーパネル電流値が低下し、ディスプレイ周辺ソーラーパネル電流値、上面ソーラーパネル電流値の低下が少ないこととなり、正面に顧客が来た、と判断でき、制御装置１１１は、待機時の輝度設定から、取引時の輝度設定へ移行する。制御装置１１１は、ステップ２０３と同様に、正面ソーラーパネル１０１、ディスプレイ周辺ソーラーパネル１０２、上面ソーラーパネル１０３の発電により生じる電流値を再び取り込み（ステップ２０６）、ディスプレイ周辺ソーラーパネル電流値を基に、データテーブル１３０を参照し、ディスプレイ輝度設定値を取り込む（ステップ２０７）。そして、制御装置１１１は、ディスプレイ１１４の輝度を、前記ディスプレイ輝度設定値へ変更する（ステップ２０８）。その後、制御装置１１１は、取引時の輝度設定をある時間維持するため、一定時間待つ（ステップ２０９）。そして、制御装置１１１は、取引中であることを確認する（ステップ２１０）。この確認によって、取引中であると判明すれば、制御装置１１１は、取引時の輝度設定を見直すため、ステップ２０６に移行する。一方、ステップ２０４、２０５、２１０において、偽と判断されたとき、制御装置１１１は、取り込んだ電流値を次回の比較の為に記憶する（ステップ２１１）。そして、制御装置１１１は、待機時の輝度設定を行うため、ステップ２０２へ移行する。
【００１４】
前述制御は、ソーラーパネル付き現金自動預払機１００が動作中の間、随時実行される。
【符号の説明】
【００１５】
１００…ソーラーパネル付き現金自動預払機、１０１…正面ソーラーパネル、１０２…ディスプレイ周辺ソーラーパネル、１０３…上面ソーラーパネル、１０４、１０５、１０６…電流測定手段、１０７…負荷、１０８、１０９、１１０…Ａ／Ｄ変換機、１１１…制御装置、１１２…メモリ、１１３…ディスプレイ輝度調節手段、１１４…ディスプレイ、１３０…データテーブル。
【図１】
2011086015.tif 000003
【図２】
2011086015.tif 000004
【図３】
2011086015.tif 000005
【図４】
2011086015.tif 000006